(57)【要約】【課題】座あるいは背のパッドの位置合わせが容易であると共に使用中にパッドが外れ難く、しかも交換毎にパッドの位置がずれたり、片寄りが生ずることがない。また、パッドのみで身体支持構造体の人体を支持する面を形成できる。さらに、パッドが簡単に着脱できる。【解決手段】  座１あるいは背２の少なくとも一方の身体支持構造体５が、実際に人体に当たる部分を占めるパッド４と該パッド４を支持する構造体本体５とに分離されると共に接合手段８を介して着脱可能に構成され、構造体本体５にはパッド４の周囲を包囲してパッド４を嵌合させる凹部６を内方に形成する縁部７を設け、該縁部７の高さがパッド４よりも低く、パッド４が周辺の構造体本体５の縁部７よりも突出して実際に人体に当たる部分を構成するようにしている。【選択図】    図１
2007117600.tif 000002
【特許請求の範囲】
【請求項１】
座あるいは背の少なくとも一方の身体支持構造体を含む椅子において、前記身体支持構造体が実際に人体に当たる部分を占めるパッドと該パッドを支持する構造体本体とに分離されると共に接合手段を介して着脱可能に構成され、前記構造体本体には前記パッドの周囲を包囲して前記パッドを嵌合させる凹部を内方に形成する縁部を有し、該縁部の高さが前記パッドよりも低く、前記パッドが周辺の構造体本体の縁部よりも突出して実際に人体に当たる部分を構成している椅子。
【請求項２】
前記身体支持構造体の本体並びにパッドにはそれぞれ剛性のあるシェルが含まれると共に、前記パッドの裏面と前記身体支持構造体の凹部の表面とにそれぞれ接合手段が備えられ、前記パッドが前記構造体本体側の凹部に嵌合した状態で前記接合手段によって着脱可能に固定されているものである請求項１記載の椅子。
【請求項３】
前記身体支持構造体の本体は枠体の内側にメッシュ部材を張り詰めたものであり、前記パッドの裏面と前記身体支持構造体の凹部の表面とにそれぞれ接合手段が備えられ、前記パッドが前記構造体本体側の凹部に嵌合した状態で前記接合手段によって着脱可能に固定されているものである請求項１記載の椅子。
【請求項４】
前記パッドの輪郭形状と前記構造物本体側の縁部の輪郭形状あるいは前記パッドの裏面と前記構造物本体側の前記パッドを受け支える面の形状は、対称軸が１本以下のものである請求項１から３のいずれか１つに記載の椅子。
【請求項５】
前記接合手段は面ファスナーである請求項１から４のいずれか１つに記載の椅子。
【発明の詳細な説明】
【技術分野】
【０００１】
本発明は、座あるいは背の少なくとも一方の身体支持構造体を含む椅子に関する。更に詳述すると、本発明は、座や背の人体と接するパッド部分が着脱可能な構造の椅子に関する。
【背景技術】
【０００２】
自動車の座席においては、背もたれや腰をおろしている部分に密着している背中や臀部に汗をかいて嫌な思いをすることから、座席の上にさらに通気性の良い敷物を施したりする代わりに、状況に応じて腰掛け部あるいは背もたれ部の面を表裏入れ替えるだけで例えば籐編みあるいは布地に変化させて使用可能とするものが提案されている（特許文献１）。この椅子は、自動車の座席の背あるいは座に凹部を設けて、裏表が異なる意匠・材質でかつ座席全体とは別物に構成された背もたれ部あるいは腰掛け部を凹部に嵌め込むようにして、座席を高くする敷物を用いずに座席の背あるいは座の表面を異なった意匠や材質に交換可能とするものである。この椅子における背もたれ部あるいは腰掛け部は、座席に設けられた凹部から取り出されて表裏を逆にしてから再度凹部に嵌め込まれるだけのものである。
【０００３】
また、表皮部材を季節に合わせた色や触感のものに交換可能とした車両用シートも提案されている（特許文献２）。この車両用シートは、シート本体の身体を支える面１００の一部に段付き凹部１０１を設け、この段付き凹部１０１の最も深い凹部に座ぶとん状クッション体１０２を嵌め込み、段部１０３に面ファスナー１０４の一方を取り付けると共に他方を座ぶとん状クッション体１０２の側面の中央に取付け、面ファスナー１０４で座ぶとん状クッション体１０２を凹部１０１に嵌め込んだ状態で段部１０３に固定するようにしたものである。この場合の座ぶとん状クッション体１０１の高さは最も深い凹部１０１の深さの２倍の高さになり、素材の異なる裏表をひっくり返してはめ込めるように設けられている。
【０００４】
さらに、布張りクッションを用いた椅子は、カバー（布張り地）が汚れ易くかつ摩耗や破れを生じ易いため、それらのクリーニングおよびメンテナンスを可能にすることが望まれる。また、顧客は、クリーニングおよびメンテナンスのためだけでなく、椅子のカバーを取り替えることで気分転換を図ったり、装飾性を高めたり、ファション性を高めることを望む。さらには、クッションの交換で硬さを調節したり、弾力性を復元させたりして座り心地やデザインをアップグレードまたは変化させることを望む。
【０００５】
そこで、座部と背もたれとを着脱可能とした椅子も従来から提案されている（特許文献３）。この椅子は、脚に取り付けられた可撓性プラスチックシェルの上に、クッションをカバーでくるんだパッドを雌雄一対のスナップコネクタを用いて着脱可能に取り付けたものである。スナップコネクタは、一方がパッドの伸び難い下カバーに取り付けられ、他方が可撓性プラスチックシェルを貫通するように同シェルに固着されている。したがって、一対のスナップコネクタを嵌め合わせることによって、パッドが可撓性プラスチックシェルの所定位置に固定される。また、背もたれは、背もたれシェルの上に、クッションをカバーでくるんだ背もたれクッション組立体を背もたれシェルの上下端にそれぞれ引っかけるようにして着脱可能に固定されている。背もたれクッション組立体は、上端にソックス状キャビティ（三日月形状の袋）を備えると共に下端に引き延ばし可能な伸縮性布ストリップを介して硬質ストリップが備えられている。したがって、背もたれクッション組立体は、背もたれシェルの上端に背もたれクッション構造体の上端のソックス状キャビティを被せてから背もたれクッション組立体を下方に引っ張りながら下端の硬質ストリップを背もたれシェルの下端に沿って設けられた下向きのリセスに押し込むことによって、背もたれクッション組立体の張力を維持しながら背もたれシェルに固定される。
【０００６】
【特許文献１】実開昭５２−９１８０４
【特許文献２】実公昭６２−３９７４３
【特許文献３】特開２００１−２９９４９４
【発明の開示】
【発明が解決しようとする課題】
【０００７】
しかしながら、特許文献１の座席では、凹部に完全に嵌った状態のパッドを取り出すことは容易ではない。つまり、パッドに手や指をかけて取り外すためのとっかかりがないため、パッドとその周りの凹部の縁との間に指を差し込んで指の先に引っかけて取り出すこととなるが、やや硬めのパッドの場合にはパッドを引っかけて掻き出すことが難しく、簡単に着脱できるとは言い難い。
【０００８】
また、特許文献２の座席では、着座したときに座ぶとん状クッション体１０２とその周りを覆うように立ち上がるシート本体１００の側面との双方で体が支持されるので、シート本体１００と硬さの異なる座ぶとん状クッション体１０２に交換した場合には、座ぶとん状クッション体１０２とその周辺の本体１００との間の材質の変化に起因して、使用者が違和感を感じる。
【０００９】
また、特許文献３の椅子では、縁の部分とパッドの部分とが同じ高さであるため、座あるいは背のパッドの位置合わせが容易でない。座及び背のパッドを椅子本体にしっかり固定できないので、使用中にパッドが外れ易い。
【００１０】
さらに、特許文献３の構造では、人体の支持面をクッション組付体のみで構成することもできるが、位置合わせを容易にするために、かりに接合手段をスナップコネクタから面ファスナーに代えたとしたら、パッドの交換毎にパッドの位置がずれたり、片寄りが生ずることがある。このため、予めデザインされた配置通りのパッド位置とならないので、美しさを損なうことがある。
【００１１】
そこで本発明は、座あるいは背のパッドの位置合わせが容易であると共に使用中にパッドが外れ難く、しかも交換毎にパッドの位置がずれたり、片寄りが生ずることがない椅子を提供することを目的とする。また、本発明は、パッドのみで身体支持構造体の人体を支持する面を形成できる椅子を提供することを目的とする。さらに、本発明は、パッドが簡単に着脱できる椅子を提供することを目的とする。
【課題を解決するための手段】
【００１２】
かかる目的を達成するため、本発明は、座あるいは背の少なくとも一方の身体支持構造体を含む椅子において、身体支持構造体が実際に人体に当たる部分を占めるパッドと該パッドを支持する構造体本体とに分離されると共に接合手段を介して着脱可能に構成され、構造体本体にはパッドの周囲を包囲してパッドを嵌合させる凹部を内方に形成する縁部を有し、該縁部の高さがパッドよりも低く、パッドが周辺の構造体本体の縁部よりも突出して実際に人体に当たる部分を構成するようにしている。
【００１３】
したがって、座あるいは背の少なくとも一方の身体支持構造体の人体を支持する面がパッドのみによって形成され、着座する人の大腿部、臀部あるいは脇腹部分やそれに連なる腰部などが周辺の縁のフレーム部分に当たることがなく、クッション性に優れるパッド部分でのみ人体を支えることができる。しかも、パッドが凹部の周辺の縁部よりも相当量突出する厚みを有しているので、パッドに手をかけて構造体本体の凹部からパッドを取り外すことができる。さらに、パッドを座あるいは背の構造体本体側へ装着する場合にも、凹部にパッドを嵌合させて上から押しつけるだけでパッドの位置決めと固定が完了する。しかも、固定した後は、凹部への嵌合と接合手段による固定とで、座及び背のパッドを椅子本体にしっかり固定できる。
【００１４】
ここで、身体支持構造体の本体並びにパッドにはそれぞれ剛性のあるシェル板が含まれると共に、パッドの裏面と身体支持構造体の凹部の表面とにそれぞれ接合手段が備えられ、パッドが構造体本体側の凹部に嵌合した状態で接合手段によって着脱可能に固定されていることが好ましい。この場合には、パッドを凹部に嵌合させた状態で強く押すだけで、確実に接合手段によって固定される。
【００１５】
また、身体支持構造体の本体は枠体の内側にメッシュ部材を張り詰めたものであり、パッドの裏面と身体支持構造体の凹部の表面とにそれぞれ接合手段が備えられ、パッドが構造体本体側の凹部に嵌合した状態で接合手段によって着脱可能に固定されていることが好ましい。この場合には、パッドを凹部に嵌合させた状態で本体側へ押しつければ、本体側のメッシュ部材の形状に沿って変形することで対向する接合手段が突き合わされて接合され、パッドを本体側へ固定する。
【００１６】
さらに、パッドの輪郭形状と構造物本体側の縁部の輪郭形状あるいはパッドの裏面と構造物本体側のパッドを受け支える面の形状は、対称軸が１本以下のものであることが好ましい。この場合には、視覚的な情報から、使用者がパッドの取り付け向きを間違えることを事前に防止できる。すなわち、背座の曲面形状から特定の方向にしか取り付けられないときにも、使用者が戸惑わずにすむ。
【００１７】
さらに、接合手段は面ファスナーであることが好ましい。この場合には、構造体本体の凹部に対するパッドの固定の際の位置決めは正確である必要はなく、凹部にパッドを嵌合させるだけで確実に面ファスナーで接合される。
【発明の効果】
【００１８】
請求項１記載の発明によれば、身体支持構造体の人体を支持する面がクッション性に優れるパッドによってほぼ形成されるので、着座する人の大腿部、臀部あるいは脇腹部分やそれに連なる腰部などがパッド周辺の構造物本体側のフレーム部分に当たることがなく、快適に座ったりあるいは凭れかかることができる。このことは、硬さの異なるパッドに交換しても同様であり、身体が実質的にパッドによってのみ支持されるので、パッド周辺の部材との間で硬さが異なることに起因する違和感を使用者に与えることが少ない。
【００１９】
しかも、パッドが凹部の周辺の縁部よりも相当量突出する厚みを有しているので、パッドに手をかけて構造体本体の凹部からパッドを取り外すことが容易に行える。したがって、座及び背のパッドを自由に交換できるので、組み合わせのバリエーションが自由となり、ユーザの好みに合わせて椅子のデザインを変更できる。ファション性を高めうる。季節の変化や感情の変化に合わせてパッドの色やデザイン、材質などを適宜変更して、インテリアとしても楽しむことができる。
【００２０】
さらに、パッドを座あるいは背の構造体本体側へ装着する場合にも、凹部にパッドを嵌合させて上から押しつけるだけでパッドの位置決めと固定が完了する。したがって、パッドの交換の都度にパッドの位置がずれたり、片寄りが生ずることがなく、デザイン的な美しさを損なうことがない。そして、固定した後は、凹部への嵌合と接合手段による固定とで、座及び背のパッドを椅子本体にしっかり固定できるので、使用中にパッドが外れ難い。また、パッドそのものを取り替える場合あるいはパッドの構成部品の一部を取り替えて再装着する場合にも、凹部にパッドを嵌合させて上から押しつけるだけの簡単な操作でパッドの固定が完了するので、パッドの位置合わせ・固定が容易である。
【００２１】
また、請求項２記載の発明によると、パッドを凹部に嵌合させて強く押すだけで、剛性のあるシェルを介して接合手段同士が確実に嵌め合わされて固定されるので、パッドの装着作業が簡単かつ確実である。
【００２２】
また、請求項３記載の発明によると、身体支持がメッシュ部材の張力と、パッドのクッション性とが相俟ったものとなるので、座面あるいは背もたれ面が全体で体重を支えるように変形して体圧の分散を図ることができる。しかも、パッドを凹部に嵌合させた状態で本体側へ押しつければ、本体側のメッシュ部材の形状に沿って変形することで対向する接合手段が突き合わされて接合され、パッドを本体側へ固定することができる。
【００２３】
また、請求項４記載の椅子によると、パッドの輪郭形状と構造物本体側の縁部の輪郭形状あるいはパッドの裏面と構造物本体側のパッドを受け支える面の形状は、対称軸が１本以下なので、視覚的な情報から、使用者がパッドの取り付け向きを間違えることを事前に防止できる。すなわち、背座の曲面形状から特定の方向にしか取り付けられないときにも、使用者が戸惑わずにすむ。
【００２４】
さらに、請求項５記載の発明によると、面ファスナーによる接合であるため、構造体本体の凹部に対するパッドの固定の際の位置決めは正確である必要はなく、凹部にパッドを嵌合させるだけで確実に接合される。
【発明を実施するための最良の形態】
【００２５】
以下、本発明の構成を図面に示す実施形態に基づいて詳細に説明する。
【００２６】
図１から図４に本発明の椅子の一実施形態を示す。本実施形態の椅子は、座１及び背２の各身体支持構造体並びにこれらを支持する脚３とを備え、かつ各身体支持構造体が実際に人体に当たる部分を占めるパッド４と該パッド４を支持する構造体本体５とで分離可能に構成されている。
【００２７】
本実施形態の椅子は、４本のパイプ脚を座の４隅に備える脚３を備える固定椅子であり、座と背とをほぼＬ形に一体成形した身体支持構造体本体５を有する。勿論、座１と背２は一体構造とする場合に限られず、別々の独立した部品として構成され、脚３に直接あるいは必要に応じて反力機構などを介してそれぞれ取り付けられることもある。
【００２８】
構造体本体５並びにパッド４にはそれぞれ剛性のあるシェル９，１０が含まれると共に、パッド４の裏面とそれに対向する構造体本体５の凹部６の底面とにそれぞれ接合手段８が備えられ、パッド４が構造体本体５側の凹部６に嵌合した状態で接合手段８によって着脱可能に固定されている。本実施形態の場合、接合手段８としては、面ファスナーが用いられており、パッド４の裏面と構造体本体５側の凹部６の底面にそれぞれ対となる面ファスナー８が位置関係を対応させて設置されている。ここで、面ファスナー８は、パッド４並びに構造体本体５からシェル９，１０が剥き出しとなる構造の場合には、パッド４の裏面あるいは構造体本体５の凹部６の底面に接着や縫合などで直接固着されるが、カバー１２，１４によってシェル９，１０が全面的に覆われている場合にはカバー１２，１４に縫いつけられて固定される。このように接合手段８として面ファスナーを用いる場合、雌雄一対のファスナーが重なれば接合されるので、構造体本体５の凹部６に対するパッド４の固定の際の位置決めは正確である必要はなく、凹部６にパッド４を嵌合させるだけで確実に接合される。
【００２９】
パッド４は特定の構造並びに形状に限られるものではないが、一般には芯材となる剛性のあるシェル例えばプラスチックシェル１０とその上に載置されるクッション１１とこれらを覆うカバー１２とを含む。ここで、クッション１１は、従来から一般的なポリウレタン弾性フォームでも良いが、不織弾性繊維材にしたり、腰掛けたユーザの弾性的で快適な支持を行うことができるいずれかの適当な物質にすることもできる。
【００３０】
他方、構造体本体５にはパッド４の全周囲を包囲してパッド４を嵌合させる凹部６を内方に形成する縁部７を有している。この縁部７は、その高さをパッド４よりも低くし、パッド４が周辺の構造体本体の縁部７よりも突出して実際に人体に当たる支持面を構成するようにしている。即ち、パッド４を周囲の縁７よりも突出させる高さ関係とすることにより、着座する人の大腿部、臀部、あるいは脇腹部分やそれに連なる腰部などが縁部７付近のシェル（フレーム）９に当たることがないようにして、クッション性に優れるパッド４部分でのみ人体を支えることができるようにしている。同時に縁部７は、パッド４を嵌合させるに十分な深さの凹部６を形成するものである。この縁部７は、好ましくは弾力性のある素材、例えばパッド４のクッション１１と同程度あるいはそれよりもやや硬めのクッション１３で構成されている。一般には、剛体シェル９の上に環状のクッション１３を載置してカバー１４で覆うようにして、凹部６を形成する縁部７が形成されている。
【００３１】
本実施形態では、主にパッド４で身体支持面を構成し、着座時に座１の縁部７で大腿部を圧迫しないようにするため、凹部６を区画できる程度の幅を残して座１の縁部７の幅を可能なかぎり狭く形成している。また、背中や腰部が当たる背２においても着座者の身体を圧迫しないようにするため、縁部７の幅を狭くしている。このように、身体支持面を主にパッド４で構成するようにしているので、着座時にパッド４と縁部７との間に跨って身体が均等に支持されることがないので、パッド４とその周りの縁７との間でクッションの硬さを異にしても、使用者に違和感を感じさせない。
【００３２】
パッド４の輪郭形状と構造物本体５の縁７の輪郭形状あるいはパッド４の裏面と構造物本体５側のパッド４を受け支える面（凹部６の底面）の形状は、特定の形状に限られるものではないが、対称軸が１本以下であることが好ましい。例えば、座１の場合には、図４に示すように、平面形状において縦にのみ対称軸を配置したほぼ等脚台形状としている。また、本実施形態の背２のパッド４の場合には、正面形状は上下、左右において対称であり直交する２軸即ち上下左右の２方向とも対称軸であるが、例えば等脚台形のように、対称軸が１本のみの形状としてもよい。対称軸が１本のみの形状としては、他に正三角形でない二等辺三角形など、各種の形状が可能である。さらに、座１のパッド４の平面形状、背２のパッド４の正面形状としては、対称軸が０本、すなわち対称軸が存在しない非対称な形状も可能である。しかしながら、左右対称な形状とした方が意匠的な安定感が得られるので、その点からは、対称軸が１本の形状が好ましい。
【００３３】
このように対称軸が１本以下の形状の場合には、視覚的な情報から、使用者がパッド４の取り付け向きを間違えることを事前に防止できる。ここで、これについてより詳しく説明する。椅子としての座り心地の点から、座１および背２の表面、さらにはそのパッド４と構造物本体５との接合面の形状は、左右のみが対称で、前後や上下には非対称な形状に設定されることになる。したがって、座１のパッド４の平面形状や背２のパッド４の正面形状が左右のみならず前後（座１の場合）または上下（背２の場合）にも対称な形状になっていたとしても、前後または上下の向きを間違えれば、実際にはパッド４を取り付けることができない。これに対して、座１のパッド４の平面形状、背２のパッド４の正面形状を対称軸が１本以下の形状にしておけば、使用者が戸惑わずにすみ、パッド４の取り付けの方向性を間違えにくい。パッド４の絵柄に方向性があるときにも、間違わずにすむ。
【００３４】
以上のように構成された本実施形態の椅子によれば、各身体支持構造体が実際に人体に当たる部分を占めるパッド４と該パッド４を支持する構造体本体５とで分離可能に構成されているので、必要に応じてパッド４を構造体本体５から取り外して交換することができる。パッド４の取り外しは、構造体本体５の凹部６の周辺の縁部７よりもパッド４が相当量突出しているので、このパッド４の突出部分に手をかけてパッドを構造体本体から容易に取り外すことができる。
【００３５】
他方、パッド４そのものを取り替える場合あるいはパッド４の構成部品の一部を取り替えて再装着する場合にも、凹部６にパッド４を嵌合させて上から押しつけるだけの簡単な操作でパッド４の位置合わせ・固定が完了する。しかも、固定した後は、凹部６への嵌合と接合手段による固定とで、座１及び背２のパッド４を構造体本体５・椅子本体にしっかり固定できるので、使用中にパッド４が外れ難い。さらに、パッド４が構造体・椅子本体５の凹部６に対して所定方向・位置に嵌合されたときに始めて固定されるので、パッド４の交換の都度にパッド４の位置がずれたり、片寄りが生ずることがない。
【００３６】
しかして、座及び背のパッドを自由に交換できるので、組み合わせのバリエーションが自由となり、ユーザの好みに合わせて椅子のデザインを変更できる。ファション性を高めうる。季節の変化や感情の変化に合わせてパッドの色やデザイン、材質などを適宜変更して、インテリアとしても楽しむことができる。
【００３７】
なお、上述の実施形態は本発明の好適な実施の一例ではあるがこれに限定されるものではなく、本発明の要旨を逸脱しない範囲において種々変形実施可能である。
【００３８】
例えば、上述した実施形態では、主に４本脚タイプの椅子を例に挙げて本発明の説明が行われているが、本発明が適用されるのはこの形式の椅子に限られず、いわゆるサークル脚タイプやカンチレバータイプなどの固定椅子、さらには座並びに背の身体支持構造体が脚に対して回転あるいはさらに揺動可能とされる回転椅子と一般に呼ばれるタイプの椅子まで材質や型式に拘わらずあらゆるタイプの椅子が含まれることはいうまでもない。
【００３９】
また、上述した実施形態では、座１並びに背２の各身体支持構造体の本体５並びにパッド４にはそれぞれ剛性を有するシェル９，１０を内蔵しているが、場合によっては剛体シェル９，１０を含まないこともある。例えば、身体を支持するに十分な張力を発揮する面状の支持部材例えばメッシュ部材を、シェルに代えてあるいはシェルとクッションに代えて採用することにより、弾性的な身体支持面を形成するようにしても良い。メッシュ部材は環状枠体の内側に張り渡されて弾力的身体支持構造物を構成する。このメッシュ部材を含むパッド並びに構造体本体は、パッドの裏面と構造体本体側の凹部の底面とにそれぞれ備えられた接合手段によってパッドが構造体本体側の凹部に嵌合した状態で着脱可能に固定される。ここで、パッドの構造体本体側に対する固定は、パッドを押しつけるようにして本体側のメッシュ部材の形状に沿って変形させることで面ファスナー同士を密着させて噛み合わされて両者が固定される。尚、メッシュ部材としては、少なくとも身体を支持できる張力を発揮する面状部材であれば足り、ポリエステル糸を用いたメッシュ材の他、熱収縮性フィルムやビニルや皮や布地等の他の材質のものでも良い。
【００４０】
さらに、本実施形態では接合手段として面ファスナーを用いた例を挙げて主に説明したが、接合手段は面ファスナーに限られず、摩擦でスナップ式に嵌め合わされるように構成された雄雌一対のスナップや爪係止部材などの使用も可能である。
【００４１】
また、本実施形態におけるパッドは、クッション並びに必要であればシェルをくるんだ状態でカバーを縫いつけたものでも良いが、少なくとも１つのジッパーあるいはくるみ紐を備え、カバーのみを取り替えたりあるいはクッションないしシェルを取り替えることができるようにしても良い。
【００４２】
また、本実施形態では座と背の双方の身体支持構造体についてパッドを着脱可能な構造としているが、場合によってはいずれか一方のみ着脱可能としても良いし、背を有さない座だけの椅子に適用することも可能である。
【図面の簡単な説明】
【００４３】
【図１】本発明の椅子の一実施形態を示す斜視図である。
【図２】同椅子の右側面図であり、一部を拡大断面図で示している。
【図３】同椅子の平面図である。
【図４】同椅子の正面図である。
【図５】従来の座ぶとん状クッション体を交換可能とした椅子の構造を示す図で、（Ａ）はクッション体を分離した状態を示す斜視図、（Ｂ）は取付状態の拡大断面図である。
【符号の説明】
【００４４】
１  座
２  背
３  脚
４  身体支持構造体を構成するパッド
５  身体支持構造体を構成する構造体本体
６  凹部
７  縁部
８  接合手段（面ファスナー）
【図１】
2007117600.tif 000003
【図２】
2007117600.tif 000004
【図３】
2007117600.tif 000005
【図４】
2007117600.tif 000006
【図５】
2007117600.tif 000007